(57)【要約】【課題】蓋の開成時や、米、水の落下衝撃時に関係なく重量検知が行える炊飯器を提供することを目的とする。【解決手段】本体２１の重量を検知する重量検知手段は、歪みセンサー２６を設けた起歪体２７と、前記起歪体２７の一部を固定する支持板２８と、前記本体２１の重量を支持板２８に伝達する重量伝達板２９とを有し、支持板２８と本体２１間には、衝撃による本体２１の揺れを防止する本体揺れ防止手段（ソレノイド３４）を備えたものである。これにより、蓋２３の開成時や、米、水の落下衝撃時には、本体揺れ防止手段が本体２１の揺れを防止するため、直ちに正確な重量検知が可能となるものである。【選択図】  図１
2005000487.tif 000002
【特許請求の範囲】
【請求項１】
着脱自在な鍋、前記鍋を加熱する加熱手段、および前記鍋の開口部を覆う蓋とを有した本体と、本体の重量を検知する重量検知手段とを備え、前記重量検知手段は、歪みセンサーを設けた起歪体と、前記起歪体の一部を固定する支持板と、前記本体の重量を支持板に伝達する重量伝達板とを有し、支持板と本体間には、衝撃による本体の揺れを防止する本体揺れ防止手段を備えた炊飯器。
【請求項２】
着脱自在な鍋、前記鍋を加熱する加熱手段、および前記鍋の開口部を覆う蓋とを有した本体と、本体の重量を検知する重量検知手段とを備え、前記重量検知手段は、歪みセンサーを設けた起歪体と、前記起歪体の一部を固定する支持板と、前記本体の重量を支持板に伝達する重量伝達板とを有し、重量伝達板は、水平調整手段により水平方向となるように調整可能とした炊飯器。
【請求項３】
着脱自在な鍋、前記鍋を加熱する加熱手段、および前記鍋の開口部を覆う蓋とを有した本体と、本体の重量を検知する重量検知手段とを備え、前記重量検知手段は、歪みセンサーを設けた起歪体と、前記起歪体の一部を固定する支持板と、前記本体の重量を支持板に伝達する重量伝達板とを有し、支持板と本体間には、衝撃による本体の揺れを防止する本体揺れ防止手段を備えるとともに、重量伝達板は、水平調整手段により水平方向となるように調整可能とした炊飯器。
【発明の詳細な説明】
【０００１】
【発明の属する利用分野】
本発明は重量検知手段により米計量に合致した最適な水計量を得て所望の炊飯が行えるようにした炊飯器に関するものである。
【０００２】
【従来の技術】
従来、重量センサーを用いた炊飯器はすでに知られている（例えば、特許文献１参照）。
【０００３】
これは、図５に示すように、炊飯器本体１は、外装２、鍋３、ヒーター４、スプリング５、電極上６、電極下７、重量検知手段８を備えており、鍋３はヒーター４と一体にスプリング５で支持され上下移動する。ヒーター４の下部には電極上６が固定され、本体１には電極上６と対向して電極下７が固定されているので、電極上６が上下に移動すると電極上６、電極下７間の距離が移動し、電極上６、電極下７間の静電容量の変化を重量検知手段８で周波数等に変換して鍋３に入れた米、水の重量を検知し、表示手段９で表示するものである。
【０００４】
【特許文献１】
特開平１−２０４６２３号公報
【０００５】
【発明が解決しようとする課題】
しかしながら、一般的に家庭用炊飯器は、蓋の自動開成が行われており、蓋開ボタンを押して、蓋がバネ力で開いて止まった時、衝撃で鍋３を載せたヒーター４がスプリング５で支持されているため、鍋３が細かく振動する。また、鍋３に米や水を入れる時も米、水の落下衝撃で鍋３が細かく振動する。このため、鍋３が振動している間は電極上６、電極下７間の静電容量が一定しないので、電極上６、電極下７間の静電容量が安定した後に重量検知しなければならないという課題がある。
【０００６】
本発明は、前記従来の課題を解決するもので、蓋の開成時や、米、水の落下衝撃時に関係なく重量検知が行える炊飯器を提供することを目的とする。
【０００７】
【課題を解決するための手段】
前記目的を達成するために、本発明の炊飯器は、本体の重量を検知する重量検知手段は、歪みセンサーを設けた起歪体と、前記起歪体の一部を固定する支持板と、前記本体の重量を支持板に伝達する重量伝達板とを有し、支持板と本体間には、衝撃による本体の揺れを防止する本体揺れ防止手段を備えたものである。
【０００８】
これにより、蓋の開成時や、米、水の落下衝撃時には、本体揺れ防止手段が本体の揺れを防止するため、直ちに正確な重量検知が可能となるものである。
【０００９】
【発明の実施の形態】
請求項１に記載の発明は、着脱自在な鍋、前記鍋を加熱する加熱手段、および前記鍋の開口部を覆う蓋とを有した本体と、本体の重量を検知する重量検知手段とを備え、前記重量検知手段は、歪みセンサーを設けた起歪体と、前記起歪体の一部を固定する支持板と、前記本体の重量を支持板に伝達する重量伝達板とを有し、支持板と本体間には、衝撃による本体の揺れを防止する本体揺れ防止手段を備えた炊飯器とすることにより、蓋の開成時や、米、水の落下衝撃時には、本体揺れ防止手段が本体の揺れを防止するため、直ちに正確な重量検知が可能となるものである。
【００１０】
請求項２に記載の発明は、着脱自在な鍋、前記鍋を加熱する加熱手段、および前記鍋の開口部を覆う蓋とを有した本体と、本体の重量を検知する重量検知手段とを備え、前記重量検知手段は、歪みセンサーを設けた起歪体と、前記起歪体の一部を固定する支持板と、前記本体の重量を支持板に伝達する重量伝達板とを有し、重量伝達板は、水平調整手段により水平方向となるように調整可能とした炊飯器とすることにより、歪みセンサーを設けた起歪体には本体の重量が垂直に掛かり、正確な重量検知が可能となるものである。
【００１１】
請求項３に記載の発明は、着脱自在な鍋、前記鍋を加熱する加熱手段、および前記鍋の開口部を覆う蓋とを有した本体と、本体の重量を検知する重量検知手段とを備え、前記重量検知手段は、歪みセンサーを設けた起歪体と、前記起歪体の一部を固定する支持板と、前記本体の重量を支持板に伝達する重量伝達板とを有し、支持板と本体間には、衝撃による本体の揺れを防止する本体揺れ防止手段を備えるとともに、重量伝達板は、水平調整手段により水平方向となるように調整可能とした炊飯器とすることにより、蓋の開成時や、米、水の落下衝撃時には、本体揺れ防止手段が本体の揺れを防止するため、直ちに正確な重量検知が可能となり、また、歪みセンサーを設けた起歪体には本体の重量が垂直に掛かり、正確な重量検知が可能となるものである。
【００１２】
【実施例】
以下、本発明の実施例について、図面を参照して説明する。
【００１３】
（実施例１）
図１〜図３は本発明の実施例１における炊飯器を示したものである。
【００１４】
図１に示すように、炊飯器の本体２１は、米、水を収容する着脱自在な鍋２２、前記鍋２２を誘導加熱する加熱手段２４、および前記鍋２２の開口部を覆う蓋２３とを有する。また、鍋２２の温度を検知する鍋温度検知手段２５を、本体２１内部に配置している。
【００１５】
本体２１の底部には、本体２１の重量を検知する一つの重量検知手段３０を備えている。この重量検知手段３０は、図２に詳細を示しているように、歪みセンサー２６を設けた起歪体２７と、前記起歪体２７の一部を固定するとともに本体２１の重量を支持する支持板２８と、支持板２８と固定し前記本体２１の重量を支持板２８に伝達する重量伝達板２９とを有している。
【００１６】
重量伝達板２９の一端は本体２１の底部にヒンジ２９ａにより取付けられ、ヒンジ２９ａの軸を支点に上下方向に回動自在である。また、重量伝達板２９の他端には、ネジ３１が回転自在に取付けられ、ネジ３１は本体２１の底の一部に固定したナット３２とネジ結合している。支持板２８には穴３３を設け、ネジ３１を回すドライバーが貫通するようになっている。これら、ネジ３１、ナット３２等は、重量伝達板２９を水平方向となるように調整することが可能な水平調整手段を構成しているものである。
【００１７】
支持板２８と本体２１間には、衝撃による本体２１の揺れを防止する本体揺れ防止手段を備えている。この本体揺れ防止手段は、支持板２８の本体２１の底部近傍に設けたソレノイド３４と、本体２１の底部でソレノイド３４の軸先端の対向する個所に設けた穴３５から構成され、ソレノイド３４の駆動時にソレノイドの軸が穴３５にはまり込むようになっている。
【００１８】
また、本体２１の上端付近には蓋開ボタン３６が設けてあり、ボタン操作により、蓋２３は回動軸３７を中心に開成する。そして、蓋２３の回動軸３７の近傍にはリミットスイッチ３８が設けてあり、蓋２３の開成を検知するようになっている。
【００１９】
上記の構成において動作を説明する。
【００２０】
炊飯器の本体２１の重量は、重量伝達板２９、起歪体２７を介して支持板２８が受けている。支持板２８は図に示すように支持脚があり、床面等で支持されている。ここで、まず、重量伝達板２９の水平度を調整するためには、図３に示すように、蓋２３を開いて立てた状態でネジ３１を回して重量伝達板２９が水平になるよう設定する。蓋２３を開けた状態は閉じた状態よりも本体２１の重心位置が後方へ移動している。この状態で重量伝達板２９を水平に設定すると、鍋２２に米、水を入れてその重量を測定する場合、歪みセンサー２６を設けた起歪体２７には本体２１の重量が垂直に掛かり、正確な重量検知が可能となるものである。
【００２１】
実際の米、水の計量では、蓋開ボタン３６を押し、蓋２３が自動的に開き始めると同時にリミットスイッチ３８からの信号によりソレノイド３４が動作し、ソレノイド３４の軸先端が穴３５に入り、蓋２３がほぼ垂直に開ききる時の衝撃により本体２１が起歪体２７を中心に揺れようとするのを規制する。したがって、蓋２３の開成時には、本体揺れ防止手段が本体２１の揺れを防止するため、直ちに正確な重量検知が可能となるものである。なお、米、水の鍋２２への投入時における落下衝撃時にも、ソレノイド３４が駆動されるようにすることで、蓋２３の自動開成時と同様、本体２１の揺れを防止することができる。
【００２２】
なお、実施例のように、本体揺れ防止手段と水平調整手段との両者を備えることが好ましいが、いずれか一方の手段のみを備えるようにしてもよいものである。
【００２３】
（実施例２）
図４は、本発明の実施例２における炊飯器を示したものである。実施例１と基本構成は同じであるので、相違点を中心に説明する。
【００２４】
本実施例において、実施例１との相違点は、本体揺れ防止手段の構成にある。すなわち、支持板２８に設けた支柱３９は、上下２個の弾性板４０が設けてある。この上下２個の弾性板４０の間には、本体２１の底部から伸びた突起２１ａが隙間をおいて配置されている。弾性体４０と突起２１ａとの隙間は、本体２１がある値以上の揺れを起こした時に始めて接触するように設定してある。
【００２５】
上記の構成において動作を説明する。蓋開ボタン３６を押し、蓋２３が自動的に開き始め、蓋２３がほぼ垂直に開ききる時の衝撃により本体２１が起歪体２７を中心に揺れると、上下２個の弾性板４０とその間の突起２１ａが当接して反発するため、本体２１の揺れは短時間で規制されて静止するものである。米、水の鍋２２への投入時における落下衝撃時にも、同様に作用するものである。したがって、直ちに正確な重量検知が可能となるものである。
【００２６】
【発明の効果】
以上のように、本発明の炊飯器によれば、蓋の開成時や、米、水の落下衝撃時には、本体揺れ防止手段が本体の揺れを防止するため、直ちに正確な重量検知が可能となるものである。
【図面の簡単な説明】
【図１】本発明の実施例１における炊飯器の断面図
【図２】同炊飯器の重量検知手段を示す要部斜視図
【図３】同炊飯器の蓋開成時の状態を示す断面図
【図４】本発明の実施例２における炊飯器の断面図
【図５】従来の炊飯器を示す断面図
【符号の説明】
２１  本体
２２  鍋
２３  蓋
２４  加熱手段
２６  歪みセンサー
２７  起歪体
２８  支持板
２９  重量伝達板
３１  ネジ
３４  ソレノイド
３６  蓋開ボタン
３８  リミットスイッチ
４０  弾性板
【図１】
2005000487.tif 000003
【図２】
2005000487.tif 000004
【図３】
2005000487.tif 000005
【図４】
2005000487.tif 000006
【図５】
2005000487.tif 000007